(57)【特許請求の範囲】
【請求項１】
ストロー用貫通孔と空気孔とを備えた蓋体を有する飲料密閉容器であって、前記空気孔を開閉するバルブ機能を備えた空気孔開閉バルブを前記空気孔に装着して成る飲料密閉容器において、
前記空気孔開閉バルブが頭部と胴部とを備え、空気孔が前記頭部を貫通して前記胴部を通って前記飲料密閉容器内に臨んでおり、前記ストロー用貫通孔に差し込まれたストローの吸い口端を差し込むことのできるストロー収納孔を前記頭部の空気孔が兼ねていることを特徴とする飲料密閉容器。
【請求項２】
前記空気孔開閉バルブの胴部に引っ張り部を形成したことを特徴とする請求項１記載の飲料密閉容器。
【発明の詳細な説明】
【０００１】
【発明の属する技術分野】
本発明は、内部に水やお茶、ジュース、牛乳などの液体を入れ、蓋に設けた孔に可撓性のストローを挿してストロー先端をその液体の中へ浸し、ストローの他端を口で吸って容器の外から内部の飲料を飲むことのできる飲料密閉容器に関するもので、特に乳幼児用の飲料密閉容器の内外の気圧差による内部の飲料の外部への噴出を防止した飲料密閉容器に関する。
【０００２】
【従来の技術】
周知の如く、この種の飲料密閉容器としては従来より、図８に示すようなものが存在している。すなわち、１が飲料密閉容器で、これは内部に水やお茶、ジュース、牛乳などの飲料９を入れて上部が開口している容器本体１１と、この容器本体１１の上部開口面にねじ込みによる着脱可能に取り付けられる蓋体１２と、で構成されている。容器本体１１は、その収納している飲料９の種類や収納量が外から見えるように透明または半透明の材質でしかも熱に強い材質（例えばポリカーボネイトのような熱可塑性樹脂）で形成されている。容器本体１１には乳幼児が容器本体を両手で持ち易いように把手１１１がその両側面に設けられている。また、容器本体１１の上部開口面に蓋体１２を着脱可能に取り付けるため、容器本体１１の上部側面部にねじ込み用の環状突起１１２（図示なし。ただし図１参照。）が形成されている。
【０００３】
一方、蓋体１２は、上記容器本体１１の環状突起１１２にねじ込まれる環状溝１２６（図示なし。ただし図５（ｂ）参照。）がその内側下部側面に形成されている。また、ストロー３の先端３１を飲料密閉容器１の外側から内側へ差し込むためのストロー用貫通孔１２１が形成され、さらに、そのストロー３の不使用時にストロー３の吸い口端３２を収納する盲孔１２９が形成されている。
ストロー３の使用時にはストロー吸い口端３２を口に含んで吸えば、ストロー先端３１が飲料９の中に浸されており、しかも容器本体１１と蓋体１２とはねじ込み嵌合（液密ではあるが気密ではない）であるため外部から空気が内部へ進入するのでストロー３を通して飲料９が口の中に到達する。
そして、ストロー３の不使用時には、盲孔１２９の中へストロー吸い口端３２を収納するとともに、図示のない透明キャップで蓋体１２を全体で覆うようにしていた。このように不使用時に盲孔１２９の中へストロー吸い口端３２を収納することにより容器本体１１の内部の密封性が保たれることとなった。
【０００４】
【発明が解決しようとする課題】
しかし、上述の従来の飲料密閉容器１にはお湯など熱い又は温かい飲料を入れたときに次のような問題があった。図９は従来の飲料密閉容器の問題点を説明する原理図である。すなわち、熱い又は温かい飲料を入れて蓋体１２を被せると、その密閉性から熱い飲料によって内部の空気が膨張し、内部の圧力Ｐが高くなり、飲料液面を押し下げ、飲料９はストロー先端３１からストロー３の中を通り、吸い口端３２から噴出し、容器およびその周囲が汚れてしまう。
本発明はこれを解決するもので、本発明の目的は水漏れ防止機能の他に上記お湯の噴出防止機能をも兼ね備えた飲料密閉容器を提供することである。
【０００５】
【課題を解決するための手段】
上記課題を解決するため、請求項１記載の飲料密閉容器の発明は、ストロー用貫通孔と空気孔とを備えた蓋体を有する飲料密閉容器であって、前記空気孔を開閉するバルブ機能を備えた空気孔開閉バルブを前記空気孔に装着して成る飲料密閉容器において、前記空気孔開閉バルブが頭部と胴部とを備え、空気孔が前記頭部を貫通して前記胴部を通って前記飲料密閉容器内に臨んでおり、前記ストロー用貫通孔に差し込まれたストローの吸い口端を差し込むことのできるストロー収納孔を前記頭部の空気孔が兼ねていることを特徴としている。
また、請求項２記載の発明は、請求項１記載の飲料密閉容器において、前記空気孔開閉バルブの胴部に引っ張り部を形成したことを特徴としている。
上記構成によれば、水漏れ防止機能の他に上記お湯の噴出防止機能をも兼ね備えた飲料密閉容器が得られる。
【０００６】
【発明の実施の形態】
以下、図１〜図７を用いて、本発明に係る空気孔開閉バルブおよびこれを使った飲料密閉容器の実施形態を説明する。図１は本発明に係る空気孔開閉バルブを使った飲料密閉容器の分解斜視図、図２は本発明に係る空気孔開閉バルブを使った飲料密閉容器の斜視図、図３は本発明に係る空気孔開閉バルブの平面図（ａ）、正面図（ｂ）、底面図（ｃ）、側面図（ｂ）、図４は本発明に係る空気孔開閉バルブの縦断面図、図５は本発明に係る空気孔開閉バルブを装着できるための本発明に係る飲料密閉容器の蓋体の平面図（ａ）、正面図（ｂ）、底面図（ｃ）、側面図（ｂ）、図６は本発明に係る空気孔開閉バルブを装着した状態の蓋体の拡大断面図で、バルブ開放状態（ａ）とバルブ閉鎖状態（ｂ）、図７は内部圧力が高くなっても飲料が外部に噴出しない原理を説明するための図で、（ａ）は使用時、（ｂ）は不使用時の説明図である。
【０００７】
図１および図２において、１が飲料密閉容器で、これは内部に水やお茶、ジュース、牛乳などの飲料９を入れて上部が開口している容器本体１１と、この容器本体１１の上部開口面にねじ込みによる着脱可能に取り付けられる蓋体１２と、で構成されている。容器本体１１は、その収納している飲料９の種類や収納量が外から見えるように透明または半透明の材質でしかも熱に強い材質（例えばポリカーボネイトのような熱可塑性樹脂）で形成されている。容器本体１１には乳幼児が容器本体を両手で持ち易いように把手１１１がその両側面に設けられている。また、容器本体１１の上部開口面に蓋体１２を着脱可能に取り付けるため、容器本体１１の上部側面部にねじ込み用の環状突起１１２が形成されている。
【０００８】
一方、蓋体１２は、上記容器本体１１の環状突起１１２にねじ込まれる環状溝１２６（図示なし。ただし図５（ｂ）参照。）がその内側下部側面に形成されている。また、蓋体１２の上部には、ストロー３の先端３１を飲料密閉容器１の外側から内側へ差し込むためのストロー用貫通孔１２１と本発明の空気孔開閉バルブ２を装着するための空気孔開閉バルブ用装着孔１２２とが開けられている。
空気孔開閉バルブ用装着孔１２２は空気孔開閉バルブ２を回動可能に装着するもので、その回動を所定の範囲（「開」−「閉」の間）に制限するための切り欠き１２４が周囲の一部に設けられている。この切り欠き１２４に空気孔開閉バルブ２のストッパ２５３（図３（ａ）、（ｂ）、（ｃ））が嵌めこまれ、空気孔開閉バルブ２を所定の範囲以上に回そうとしても、このストッパ２５３が切り欠き１２４の垂直面に当接してそれ以上の回動が阻止される。さらに、蓋体１２の上部には、後述の空気孔開閉バルブ２が「開」状態か「閉」状態かが一目でわかるように、空気孔開閉バルブ２のつまみ２１２の該当位置に「開」と「閉」、又は「○」と「●」のような表示が成されている。
【０００９】
３は可撓性のストローで、その先端３１をストロー用貫通孔１２１に差し込み、飲料９の液面内に浸し、反対側の吸い口端３２に口を当てて吸い込むことにより、ストロー先端３１が飲料９の中に浸されており、しかも容器本体１１と蓋体１２とはねじ込み嵌合（液密ではあるが気密ではない）であるため外部から空気が内部へ進入するのでストロー３を通して飲料９が口の中に到達する。
【００１０】
２が本発明に係る空気孔開閉バルブである。
空気孔開閉バルブ２は、蓋体１２から露出する頭部２１と、空気孔開閉バルブ用装着孔１２２の中に装着される胴部２５と、空気孔開閉バルブ用装着孔１２２から容器内部に露出する引っ張り部２８とに大別できる。
頭部２１には空気孔開閉バルブを回動させるためのつまみ２１２が一体形成されている。胴部２５の外周には装着孔１２２と接触する領域にシール用のリブ２５１が一体形成されている。そして頭部２１から胴部２５にわたって空気孔２１１が開けられている。空気孔２１１の胴部２５の出口２５２は本実施の形態では半径方向に開けられている。また、頭部２１の空気孔２１１はストロー３の吸い口端３２を収納する孔を兼ねている。
胴部２５の先端２８３は括（くび）れており、この括れが蓋体１２に形成された空気孔開閉バルブ用装着孔１２２の底部１２５（図６）に係合して空気孔開閉バルブ２が装着孔１２２から抜け難くしている。
引っ張り部２８は、空気孔開閉バルブ２を装着孔１２２に装着する際に用いられるもので、空気孔開閉バルブ２を蓋体１２の外側から押し込むだけでは空気孔開閉バルブ２の胴部２５と装着孔１２２の内壁との摩擦によって装着しにくいが、一方の手で空気孔開閉バルブ２を蓋体１２の外側から押しながら、同時に他方の手でこの引っ張り部２８を引っ張ることにより比較的容易に装着することができる。また、引っ張り部２８の先端には、膨出部２８２が形成してあるので引っ掛かりができ、引っ張り部２８が引っ張り易くなっている。
空気孔開閉バルブ２は弾力性材質で作ればシール用のリブ２５１も一体に形成することができる。しかしながら空気孔開閉バルブ２を剛性材質で作り、その代わり装着孔１２２と接触する領域にシール用の別体のリングを設けてもよい。
【００１１】
図３の本発明に係る空気孔開閉バルブの平面図（ａ）、正面図（ｂ）、底面図（ｃ）および側面図（ｄ）において、頭部２１に空気孔開閉バルブを回動させるためのつまみ２１２と空気孔兼ストロー収納孔２１１が見られる。また胴部２５、シール用のリブ２５１、空気孔出口２５２、先端括れ２８３、テーパ２８１、膨出部２８２が見られる。空気孔出口２５２にもシールを施しておくとなおよい。テーパ２８１は空気孔開閉バルブ２を装着孔１２２に装着する際、胴部先端括れ２８３を通り易くするためのものである。
【００１２】
図４は本発明に係る空気孔開閉バルブ２の縦断面図で、頭部２１には空気孔兼ストロー収納孔２１１が見られ、これはストロー３の吸い口部３２を挿入させ易くするため若干外側に向かって幅広の内径となっている。また、空気孔兼ストロー収納孔２１１の内部には、ストロー３を装着した際の保持性を向上させるため、内側リブ２５３が形成されている。その他既述した、胴部２５の外周には装着孔１２２と接触する領域にシール用のリブ２５１、胴部先端の括れ２８３、テーパ２８１、引っ張り部２８、膨出部２８２が形成されているのが見られる。
【００１３】
本発明に係る空気孔開閉バルブ２を装着するために、飲料密閉容器側１にも改良がなされている。図５は本発明に係る蓋体１２の形状を表すもので、平面図（ａ）、正面図（ｂ）、底面図（ｃ）および側面図（ｄ）を表わしている。
蓋体１２には、従来のストロー用貫通孔１２１の他に、空気孔開閉バルブ用装着孔１２２が開けられている。また、装着孔１２２の近傍に既述した「開」・「閉」の文字・記号が記されている。蓋体１２の裏側下部側面にはねじ込に用の環状溝１２６が形成されているのが見られる。そして、空気孔開閉バルブ２のつまみ２１２を「開」位置に置いて装着孔１２２に装着した状態で、空気孔開閉バルブ２の空気孔出口２５２に対向する蓋体１２に開口部１２３を設けている。
【００１４】
図６は、本発明に係る図３の空気孔開閉バルブ２を図５の蓋体１２に装着した状態の拡大断面図を示すもので、バルブ開放状態（ａ）とバルブ閉鎖状態（ｂ）を表わしている。
図６（ａ）の状態では、つまみ２１２を「開」位置（図２参照）に合わせたときの空気孔開閉バルブ２の空気孔出口２５２は蓋体１２の開口部１２３に対向しているため、空気孔兼ストロー収納孔２１１と飲料密閉容器１の内部とは通じている。
一方、図６（ｂ）の状態では、つまみ２１２が「閉」位置に在るので、空気孔開閉バルブ２の胴部２５が蓋体１２の開口部１２３に対向しているため、空気孔兼ストロー収納孔２１１と飲料密閉容器１の内部とは遮断されている。
【００１５】
図７は、ストロー３の不使用時に空気孔開閉バルブ２を図６のバルブ閉鎖状態（ｂ）にしておくと、内部圧力が高くなってもなぜ飲料が外部に噴出しないかの原理を説明するための図である。
ストロー３の使用時には，図７（ａ）のように空気孔開閉バルブ２を図６（ｂ）のように閉鎖状態としておくと、乳幼児が飲んでいる最中に飲料密閉容器１を揺さぶっても、飲料密閉容器１の内部→蓋体１２の開口部１２３→空気孔兼ストロー収納孔２１１→外部の経路が開いていないため、液体が飛び出ることがない。また、ストロー３の吸い口端３２を口に含んで吸えば、ストロー先端３１が飲料９の中に浸されているのでストロー３を通して飲料９を飲むことができる。
【００１６】
また、ストロー３を使用しない場合（保管状態の場合）には、空気孔開閉バルブ２は閉鎖状態にしておいて、ストロー先端３１を空気孔兼ストロー収納孔２１１へしっかりと差し込んでおき、さらにキャップ（図示せず）で蓋体１２を覆う。このとき、空気孔開閉バルブ２が開放状態にあった場合においても、ストロー先端３１を空気孔兼ストロー収納孔２１１へしっかり差し込むことにより、ストロー３が空気孔兼ストロー収納孔２１１内に形成された内側リブ２５３に密着された状態で保持され、液漏れを防止することができる。
一方、熱いお湯等を入れる場合には、空気孔開閉バルブ２を開放状態にしておく。そして、蓋体１２を取り付けることとなるが、このとき飲料用密閉容器１内の気体圧力が外気圧より高くなったとしても、飲料用密閉容器１と外気とは蓋体１２の開口部１２３、空気孔兼ストロー収納孔２１１とを介して連通した状態にあるため、飲料用密閉容器１内の気体圧力が飲料物を押圧し、お湯等がストロー３の先端の吸い口３２から噴出するのを有効に防止することができる。
【００１７】
【発明の効果】
以上のように、本発明によれば、ストロー端末収納用の空気孔付き空気孔開閉バルブを飲料密閉容器の装着孔に回動可能にかつ液密に装着して、ストローの使用時には空気孔開閉バルブを閉鎖状態としておくと、乳幼児がストローを吸いながら飲料密閉容器１を大きく揺さぶっても液体が飛び出ることがない。
また、ストロー３を使用しない時は空気孔開閉バルブを閉鎖状態として、かつ、ストロー先端をストロー収納孔へしっかりと差し込んでおけば、飲料密閉容器を揺さぶっても液体が外部に飛び出ることがない。さらには、ストロー先端をストロー収納孔へしっかりと差し込んでおけば、空気孔開閉用バルブが開放状態となっていたとしても、飲料物の外部への漏れを有効に防止することができる。
さらに、熱いお湯等を入れた場合に飲料密閉容器１の内部の圧力Ｐが外気圧より高くなっても、収納孔等を介して気体が逃げるため圧力の均衡が保たれ、お湯がストローの先端から噴出するといった従来の欠点をも解消することができる。
【図面の簡単な説明】
【図１】本発明に係る空気孔開閉バルブを使った飲料密閉容器の分解斜視図。
【図２】本発明に係る空気孔開閉バルブを使った飲料密閉容器の斜視図。
【図３】本発明に係る空気孔開閉バルブの平面図（ａ）、正面図（ｂ）、底面図（ｃ）、側面図（ｄ）。
【図４】本発明に係る空気孔開閉バルブの縦断面図。
【図５】本発明に係る空気孔開閉バルブを装着できるための本発明に係る飲料密閉容器の蓋体の平面図（ａ）、正面図（ｂ）、底面図（ｃ）、側面図（ｄ）。
【図６】本発明に係る空気孔開閉バルブを装着した状態の蓋体の拡大断面図である。
【図７】内部圧力が高くなっても飲料が外部に噴出しない原理を説明するための図で、（ａ）は使用時、（ｂ）は不使用時の説明図である。
【図８】従来の飲料密閉容器の斜視図。
【図９】従来の問題点を説明するための図である。
【符号の説明】
１、飲料密閉容器
１１  容器本体
１１２  環状突起
１２  蓋体
１２１  ストロー用貫通孔
１２２  空気孔開閉バルブ用装着孔
１２３  開口部
１２４  切り欠き
１２５  装着孔底部
１２６  環状溝
２、空気孔開閉バルブ
２１  頭部
２１１  空気孔兼ストロー収納孔
２１２  つまみ
２５  胴部
２５１  シール用リブ
２５２  空気孔出口
２５３  ストッパ
２８  引っ張り部
２８１  テーパ
２８２  膨出部
２８３  胴部先端括れ
３、ストロー
３１  ストロー先端
３２  ストロー吸い口端
【図１】
0004270622.tif 000002
【図２】
0004270622.tif 000003
【図３】
0004270622.tif 000004
【図４】
0004270622.tif 000005
【図５】
0004270622.tif 000006
【図６】
0004270622.tif 000007
【図７】
0004270622.tif 000008
【図８】
0004270622.tif 000009
【図９】
0004270622.tif 000010